(57)【要約】【課題】特殊なハードまたはキーボード入力を用いることによるペーパレス試験では、装置が必要でかつ高価である。スキャナを用いる方法ではスキャナ処理手順が必要となる点、および、選択問題でも画像として扱ってしまう。デジタイザを用いた方法では位置ずれによる誤入力がある。【解決手段】データ入力装置に位置座標とストロークを検出する機能を持った通信機能内蔵のペン入力対応入力装置および位置座標を一意に特定可能な固有のパターンを持った用紙と、解答情報解析手段と、データベースアクセス手段と、採点情報処理手段と、問題・解答用紙作成手段と、印刷手段を用いたペン入力対応の試験採点支援システムに特徴がある。【選択図】  図１
2004219851.tif 000002
【特許請求の範囲】
【請求項１】
位置座標とストロークを検出する機能を持った通信機能内蔵のペン入力に対応するシステムであって、位置座標を一意に特定可能な固有のパターンを持った用紙と、記入情報と記入位置を対応付ける手段と、前記ペン入力情報を受信する装置を備え、用紙の識別情報と位置情報から記入情報がどの用紙のどの項目の情報なのかを判断する手段と、取得データをデータベースに格納する手段と、取得データとあらかじめ設定されたデータと比較し評価する手段と、取得データおよび取得データの評価情報を用紙へ復元する印刷手段を備えることを特徴とするペン入力対応試験採点支援システム。
【請求項２】
請求項１に記載の試験採点支援システムにおいて、取得されたデータが出力された用紙に対して上記ペンを用いて評価を入力し、取得した評価データをデータベースへ格納する手段を備えることを特徴とするペン入力対応試験採点支援システム。
【請求項３】
請求項１または請求項２にて記載の試験採点支援システムにおいて、一つ以上のペン入力の受信装置をネットワークに接続し、ネットワーク経由で受信装置から取得したデータをデータベースに格納するサーバを設けたことを特徴とするペン入力対応試験採点支援システム。
【請求項４】
試験問題の解答情報を処理する端末から解答情報を入力するサーバと、前記サーバからの試験問題に関する情報を入力する採点端末とからなる試験問題採点支援システムを用いた採点支援方法であって、
前記採点端末に前記サーバから入力される画面情報は、
試験を構成する問題をツリー表示するエリアと、問題の解答を表示するエリアと、得点を入力するエリアと、を備えており、
前記問題ツリー表示エリアで問題を選択し、選択した問題の解答を前記表示エリアに表示し、得点入力エリアに入力することにより、前記サーバに入力した情報を送信し、送信した採点情報を記憶することを特徴とする試験問題採点支援システムを用いた採点支援方法。
【請求項５】
画面情報には、更に、前記選択された問題に対して他の受験者の解答を出力することを指示するエリアを備えており、指示入力を受けて、採点中の受験者の解答情報と、比較しようとする他の受験者の解答とを前記採点端末の画面表示部に、表示することを特徴とする請求項４に記載の試験問題採点支援システムを用いた採点支援方法。
【発明の詳細な説明】
【０００１】
【発明の属する技術分野】
本発明は、試験採点支援システムに関し、特にペン入力に対応する入力装置を用いた試験採点支援システムに関する。
【０００２】
【従来の技術】
従来の電子試験システムに関するものとしては、特許文献１に記載されているように、特殊なハードまたはキーボード入力を用いることによるペーパレス試験システムが知られている。また、特許文献２に記載されているようにスキャナ、特許文献３に記載されているようにデジタイザを用いて解答用紙に書かれた情報を読み取ることによる自動採点システムが知られている。
【０００３】
【特許文献１】特開平６−１８０５４６号公報
【特許文献２】特開平７−３２００７３号公報
【特許文献３】特開平７−１０４６５９号公報
【０００４】
【発明が解決しようとする課題】
上記の従来のシステムでは、おのおの以下のような問題点がある。特許文献１に記載の発明の特殊なハードまたはキーボード入力を用いることによるペーパレス試験では、特殊なハードまたはキーボード入力が必要でかつその装置が高価であるという問題がある。特許文献２に記載の発明のようなスキャナを用いる方法では、スキャナ処理手順が必要となり、また、文字認識の精度が悪い場合は著しく回答効率が下がるという問題がある。また、全てを画像として扱うと、記憶容量が大きくなるという問題がある。特許文献３に記載の発明のようなデジタイザを用いた方法では、位置ずれによる誤入力があるので紙をずらさないようにする対策が必要であるという問題がある。
【０００５】
本発明の目的は、上記課題を解決し、簡単な構成でペン入力による試験の実施とその採点を支援するシステムを提供することにある。
【０００６】
【課題を解決するための手段】
上記課題を解決するため、本発明のペン入力対応試験採点支援システムはデータ入力装置に位置座標とストロークを検出する機能を持った通信機能内蔵のペンと、その入力を受信する装置と、受信した情報を受験者と試験の項目に対応付けた結果として格納するデータベースを備えたサーバで構成する。受信装置はサーバの一機能として備えても良い。
【０００７】
ここで、ペン入力をデータ項目と対応付ける手段として、位置座標を一意に特定可能な固有のパターンを持った用紙を用い、検出した位置座標とストロークからどこにどんな筆記情報が入力されたかを検出する。ここで位置座標と項目とを対応付けたテーブルをサーバに備えれば、どの項目にどんな情報が筆記されたかを特定できる。また、用紙毎に識別情報を備え、または入力用ペンに識別情報を備え、識別情報と筆記者を対応付けることにより、受験者を特定することができる。
さらにサーバに予め試験の項目に対応付けた正解を格納し、取得データと項目毎に照会することにより、試験の採点が可能となる。採点結果情報を取得データに付加して用紙へ復元する印刷手段を備えることにより、採点結果の出力も可能となる。
【０００８】
また、受信装置を複数備え、ネットワークでサーバと接続することにより、遠隔地での試験の実施が可能となる。この方法は、例えば通信教育にも有効である。
また、本発明によれば、試験問題の解答情報を処理する端末から解答情報を入力するサーバと、前記サーバからの試験問題に関する情報を入力する採点端末とからなる試験問題採点支援システムを用いた採点支援方法であって、
前記採点端末に前記サーバから入力される画面情報は、
試験を構成する問題をツリー表示するエリアと、問題の解答を表示するエリアと、得点を入力するエリアと、を備えており、
前記問題ツリー表示エリアで問題を選択し、選択した問題の解答を前記表示エリアに表示し、得点入力エリアに入力することにより、前記サーバに入力した情報を送信し、送信した採点情報を記憶することを特徴としており、採点者にとって採点をする処理効率が向上した採点支援方法を提供できるという特徴がある。
更に、画面情報には、前記選択された問題に対して他の受験者の解答を出力することを指示するエリアを備えており、指示入力を受けて、採点中の受験者の解答情報と、比較しようとする他の受験者の解答とを前記採点端末の画面表示部に、表示することができるので、解答が画一した問題ではない、論文形式の問題の解答を採点する場合に、特に採点者にとって便利である。
【０００９】
【発明の実施の形態】
以下、本発明の実施形態を図面に基づいて説明する。
【００１０】
図１は本発明の構成の一例を示すシステム構成図である。ここでは解答情報取得とデータ処理、採点結果作成を別の装置で行なう構成とする。１０１は、位置座標とストロークを検出する機能を持ったペン入力対応通信装置および記憶装置内蔵入力装置、およびその位置を一意に特定可能な固有のパターンを持った用紙である。１０２は、解答情報処理端末である。通信制御手段（１０３）、解答情報解析手段（１０４）、試験時間計測手段（１０５）を含む。また図示してはいないが、通常のコンピュータが持っている演算装置、記憶装置、表示装置、入力装置を含むものとする。１０３は、通信制御手段であり、１０１からのデータ制御、およびサーバ（１０６）との通信制御を行う。１０４は、解答情報解析手段であり、１０１のから送信されてきた情報を解析する手段である。１０５は、試験時間計測手段である。１０６は、サーバであり、通信制御手段（１０７）、データベースアクセス手段（１０８）、解答情報データベース（１０９）を含む。また１０２同様に通常のコンピュータに搭載されている諸装置を包含するものとする。１０７は、通信制御手段であり、１０６での通信を制御する手段である。１０８は、データベースアクセス手段であり、解答情報データベース（１０９）へのアクセス手段である。１０９は、解答情報データベースであり、一連の情報を格納する記憶装置である。１１０は、採点端末であり、通信制御手段（１１１）、採点情報処理手段（１１２）、問題・解答用紙作成手段（１１３）を含む。また、１０２、１０６は、同様に通常のコンピュータに搭載されている諸装置を包含するものとする。１１１は、通信制御手段であり、１１０での通信を制御する手段である。１１２は、採点情報処理手段である。１１３は、問題・解答用紙作成手段である。１１４は、１０１と同様に位置座標とストロークを検出する機能を持ったペン入力対応通信装置内蔵入力装置と、１０１にて解答を記入された試験用紙である。１１５は、解答用紙を印字（作成）するための印刷装置（プリンタ）である。
【００１１】
図２は、図１の解答情報データベース（１０９）内に格納されているデータのデータ構造図である。２０１は、解答情報テーブルである。試験コード（２０２）、科目コード（２０３）、生徒番号（２０４）、得点（２０５）の各フィールドからなる。２０２は、試験コードであり、試験ごとに実施時期を特定可能な一意のコードである。２０３は、科目コードであり、科目名を特定可能な一意のコードである。２０４は生徒番号であり、生徒を特定可能な一意のコード番号である。２０５は得点であり、試験の採点後得点が入力される。２０６は、解答用紙テーブルである。試験コード（２０７）、科目コード（２０８）、問題番号（２０９）、位置座標（２１０）、正答例（２２８）、配点（２２９）、自動採点フラグ（２３０）から構成される。２０７は試験コードであり、２０２と同様である。２０８は、科目コードであり、２０３と同様である。２０９は、問題番号であり、試験の問題番号である。２１０は、位置座標であり、問題番号の解答欄の位置座標である。２２８は、正答例であり、問題の正答例をあらかじめ登録しておく。２２９は、配点であり、問題に他する配点を登録しておく。２３０は、自動採点フラグであり、選択問題等、自動的に採点可能な問題の場合フラグ“１”を立てる。２１１は、試験テーブルである。試験コード（２１２）、時期コード（２１３）、年度（２１４）から構成される。２１２は、試験コードであり、２０２、２０７と同様である。２１３は、時期コードであり、試験の時期を一意に特定できるコードである。２１４は、年度であり、試験の実施年度である。２１５は、科目テーブルである。科目コード（２１６）、科目名（２１７）、単位数（２１８）から構成される。２１６は、科目コードであり、２０３、２０８と同様である。２１７は、科目名であり、科目コードに対応した科目名である。２１８は単位数であり、科目の単位数である。２１９は、生徒テーブルである。生徒番号（２２０）、氏名（２２１）、クラス（２２２）から構成される。２２０は、生徒番号であり、２０４と同様である。２２１は、氏名であり、生徒の氏名である。２２２は、クラスであり、生徒の所属するクラスである。２２３は、講師テーブルであり、講師番号（２２４）、氏名（２２５）、パスワード（２２６）、担当科目（２２７）、担当クラス（２３１）から構成される。２２４は、講師番号であり、講師を一意に特定できるコードである。２２５は、氏名である講師の氏名である。２２６は、パスワードであり、採点支援ＡＰにログインする際のパスワードである。２２７は、担当科目コードであり、講師が担当する科目コードである。２３１は、担当クラスであり、講師が担当するクラスを示すコードである。
【００１２】
図３は、試験の流れを示すフローチャートである。以下図１と図２、図３により試験実施と解答情報の格納までを説明する。試験開始後、図１の試験時間計測手段１０３により試験開始が記憶される（３０１）。同時にペン１０１による解答および受験者情報の記憶が開始される（３０２）。受験者が解答欄の解答終了チェックにチェックを入れるか試験時間が終了した場合は（３０３）、ペンの記憶装置に蓄積された解答および受験者情報を解答情報処理端末１０２へ送信する（３０４）。解答情報処理端末では、図２の解答情報テーブル２０６を参照し、受信したデータの受験者情報が記入されている位置座標から受験者情報（生徒番号・クラス）を解析し、サーバの記憶装置内の該当フォルダ内へ生徒番号を名称とするファイルとして保存する（３０５）。
【００１３】
図４は、当システム用試験解答用紙作成の流れを示すフローチャートであり、図１における問題・解答用紙作成手段１１３の処理手順である。実施する試験ごとに異なるドットパターンの用紙を２枚用意する。これは座席が隣同士の受験者が異なる順番に構成された解答用紙を使用することによりカンニング防止を図るためのもので、実施の際に列ごとにパターンＡ、パターンＢと交互に配布し実施する。よってカンニング防止策をとらない場合は用意する用紙は１枚でよい。次に、図１の採点端末１１０にて解答欄を作成し、プリンタ１１５にて上記用紙に印字する（カンニング防止策の場合は２パターン作成し、印字する）（４０２）。その後、採点端末が自動的に解答欄の位置座標と問題の対応付けを、解答情報ＤＢ１０９内の図２の解答用紙テーブル２０６へ書き込む（４０３）。解答用紙の原本が完成したところで、試験で必要な部数のコピー印刷を行う。その際、コピーされた用紙にも、原本同様のドットパターンが印字されるものとする（４０４）。
【００１４】
図５は、図１における採点端末１１０による採点作業の流れを示すフローチャートであり、採点情報処理手段１１２の処理手順である。採点担当者は採点端末より採点アプリケーション（情報処理手段１１２の採点情報処理手段を提供するプログラム。以下採点ＡＰ）へ講師番号、パスワードを入力しログインをする（５０１）。採点ＡＰは図２の講師テーブル２２３を参照し入力された講師番号とパスワードが正しいことを検証する。図示はしていないが講師番号とパスワードを誤入力した場合はログインに失敗となりログインは不可となる。ログインに成功すると採点作業か解答用紙作成作業かを選択可能な採点メニューが表示される（５０２）。採点作業を選択すると採点試験選択メニューが表示される（５０３）。現在終了している試験の中から採点担当者が採点可能な試験およびクラスを解答情報テーブル２０１の科目コード（２０３）および、講師テーブル２２３の担当科目（２２７）を参照し一覧表示する。採点者は一覧より採点対象試験とクラスを選択し採点作業を開始する（５０４）。採点試験が選択された場合、採点ＡＰはその試験コード、クラスをキーに解答情報テーブル２０１を参照し、採点対象となる生徒番号を取得し、その生徒番号をキーにサーバの記憶装置内の該当フォルダ内に格納されている解答データを取得する（５０５）。
【００１５】
図６は、図５の５０５の続きの処理である。図１の採点端末１１０による採点作業の流れを示すフローチャートであり、採点情報処理手段１１２の処理手順である。解答情報ＤＢより取得したデータより図２の解答用紙テーブル２０６を参照し自動採点フラグ（２３０）に１が入っている問題がある場合（６０１）は、解答情報テーブル２０１より該当試験コード（２０２）を持つレコードの生徒番号（２０４）を抽出し、生徒テーブル２１９のクラス（２２２）を参照し、図５の５０４の処理で選択したクラスと一致する生徒番号の解答情報を解答情報ＤＢより取得し、解答情報ＤＢ解答用紙テーブル２２８正答例と解答情報の比較を行い自動的に採点を行い、生徒番号ごとに採点端末の記憶装置へ一時保存する（６０２）。また問題Ａが正解している場合のみ問題Ｂを採点するというような組合せ問題の場合も、正答例作成時に組合せ問題設定をしておくことにより、問題Ａが不正解ならば問題Ｂを評価しないまたは記述問題採点時に表示させないという効率的な採点を行う機能を有するものとする。生徒テーブル２１９を参照し該当クラスの生徒を一覧表示する。採点対象となる生徒を採点対象生徒一覧画面より選択する（６０３）。自動採点を行った場合は（６０４）、自動採点結果を確認のため、採点端末の記憶装置へ一時保存した自動採点結果から該当生徒の採点結果を表示し、実際の解答用紙に記入されたデータとの照合を行う（６０５）。修正の必要がある場合は（６０６）、採点端末入力装置にて修正を行う（６０７）。
【００１６】
図７は、図６の６０７処理の続きである。図１の採点端末１１０による採点作業の流れを示すフローチャートであり、採点情報処理手段１１２の処理手順である。採点作業次のステップとして記述問題採点を開始する（７０１）。記述問題の採点ではペン入力採点か採点端末の入力装置による直接入力のどちらかを選択することが可能である（７０２）。ペン入力採点の場合はペン入力装置１１４を用いて採点作業を行う。なおペンによる採点に際し、解答用紙には採点開始・終了チェック、得点記入欄、生徒番号記入欄を問題・解答用紙作成手段１１３にて作成しておく必要がある。採点者は採点開始チェックをつけ採点作業を開始する。採点開始チェックがつけられるとペンによるデータ記憶が開始される（７０３）。採点チェックをつけたあとから採点終了チェックをつけるまでの間に、採点者は必ず生徒番号を該当欄に記入しなければならない（７０４）。これは現在ペンに記憶しているデータはどの受験者に対する採点データなのかを特定するためである。すべての記述問題の採点が終了した場合（７０５）、採点終了チェックをつける（７０６）。採点終了チェックがチェックされると、採点開始からペンが記憶してきたデータが一旦採点端末の記憶装置へ送信される（７０７）。端末の入力装置を用いて直接端末へ採点を入力する場合は、図３の３０４の処理で取り込んだ記述問題解答イメージデータを取り出し画面表示する（７０８）。採点者は画面を参照しながら採点端末入力装置にて直接採点データを打ち込む（７０９）。
【００１７】
図８は、図７の７０７および７０９の処理の続きである。図１の採点端末１１０による採点作業の流れを示すフローチャートであり、採点情報処理手段１１２の処理手順である。ペン入力か端末入力による採点情報の入力が終了した場合、同クラス内に未採点者がいる場合で続けて採点する場合は、次の被採点者を採点するため図６の６０３の被採点者選択処理へ戻る（８０１）。同クラス内に未採点者がいない場合で続けて他クラスの採点を行う場合は、他クラスの同試験の採点をするため図５の５０４の採点試験選択処理へ戻る（８０２）。採点する試験がない場合は、採点端末の記憶装置へ一時保存していたデータを一斉にＤＢへ書き込み更新する（８０３）。最後にログオフ画面にてログオフして採点作業終了となる（８０４）
図９は、図１の解答情報解析手段１０４の流れを示すフローチャートである。解答データは受験者の解答終了後、解答情報処理端末１０２へ送信される。解答情報処理端末ではデータ受信後、通信制御手段１０３を経由し、解答情報解析手段へと渡される。解答情報解析手段ではまず受信データより解答用紙のドットパターンを取得し（９０１）、図２の解答用紙テーブル２０６を参照し（９０２）、解答用紙と試験（問題）との対応を確定する（９０３）。さらに解答用紙テーブルを参照し受験者番号が記入されている座標を取得、受信データの該当座標より受験者番号を取得する（９０４）。解答情報テーブルの試験コードおよび取得した受験者番号をキーにして（９０５）、図３の解答情報ＤＢ３０４への格納を行う（９０６）。
【００１８】
図１０は、本発明をネットワーク経由で実現した場合の構成を示すシステム構成図である。基本的構成は図１と大差がないため相違部分のみ説明する。前提として解答情報処理端末（１００２）、メインサーバ（１００６）、採点端末（１０１０）はネットワーク（ＬＡＮ・ＷＡＮ・インターネット等）経由でデータの送受信が可能な別のフロアや建物に設置されているものとする。１００２は解答情報処理端末であり、試験実施場所に設置される。１００６はメインサーバであり、１００２解答情報処理端末および１０１０採点端末との情報送受信を行う。１０１０は採点端末であり１００６との通信が可能な場所であればどこに設置されていてもよいものとする。通信教育を例に挙げるとすると、解答情報処理端末（１００２）は通信教育を受けている受験者の自宅に設置される。メインサーバ（１００６）は通信教育社のサーバ室に設置される。採点端末（１０１０）は通信教育社に登録している採点者が採点を行う場所（自宅等）に設置される。
【００１９】
図１１は、本発明をネットワーク経由で実現するための処理手順を示すフローチャートである。これも基本的には図３のフローチャートと大差がないため相違部分のみ説明する。試験終了の処理はまずペン蓄積解答情報を図１０の解答情報処理端末１００２へ送信し（１１０４）、通信制御手段１００３を介して、のメインサーバ１００６へ送信する（１１０５）。
【００２０】
図１２は、本発明をネットワーク経由で実現した場合の採点手順を示すフローチャートである。ネットワーク経由での採点開始に伴い、図１０のメインサーバ１００６から採点端末１０１０へ採点のためのデータ（解答情報＆正答データ）を暗号化して送信する（１２０１）。採点端末はデータ受信後、復号化を行い図５〜図８に示す採点手順と同様に採点作業を行う（１２０２）。ただしペンによる採点処理は図１３を用いて後述する。採点作業が完了した場合、採点情報をメインサーバ１００６へ送信する（１２０３）。データを受信したメインサーバ１００６は解答情報ＤＢへデータを格納する。
【００２１】
図１３は、本発明をネットワーク経由で実現した場合のペンによる採点手順を示すフローチャートであり、図１１の採点情報処理手段１０１２および問題・解答用紙作成手段１０１３の処理手順である。ネットワーク経由でペン採点を行う場合は、実際に解答が記入されている解答用紙が存在しないため、解答情報ＤＢより解答情報を取得し、擬似的に解答用紙を復元し、ペンによる採点作業を行う。まず、メインサーバから解答情報を採点端末へ送信する（１３０１）。採点者は採点端末よりデータ受信を確認し（１３０２）、該当するデータを選択し印刷処理を行う。この際印刷する用紙の座標と問題の対応付けを取っておく（１３０３）。採点する人数分のコピーを取った特殊用紙にデータをプリントアウトし（１３０４）、採点を開始する（１３０５）。採点作業の詳細は図５〜８に示す採点手順と同様とする。採点したデータを採点端末へ一時保存し（１３０６）、メインサーバの解答情報ＤＢへ採点情報を送信する（１３０７）。
【００２２】
図１４は、採点ＡＰの試験選択画面であり、図５の５０４の採点試験選択時に表示される画面である。１４０１は選択ラジオボタンであり、採点する試験にチェックをいれる。１４０２は期であり、試験の実施期（２学期期末等）を表示する。１４０３は科目であり、試験科目を表示する。１４０４はクラスであり、試験を実施したクラスを表示する。１４０５は採点開始ボタンであり、試験が選択された状態で押下されると採点画面へ遷移する。１４０６は作業終了ボタンであり、採点作業を終了する場合に押下する。
【００２３】
図１５は、採点ＡＰの記述問題採点画面の例であり、図７の７０８〜７０９の端末入力処理による記述問題時に表示される画面の例である。１５０１は受験者の詳細であり、試験名、科目、クラス、生徒番号、氏名、得点を表示する。１５０２は問題ツリーであり、試験を構成する問題をツリー表示し、選択された問題を右の解答情報表示フレームに表示する。１５０３は解答情報表示欄であり、１５０２の問題ツリーで選択された問題の解答を表示する。１５０４は得点入力欄であり、中間点等を考慮し、採点者が得点を入力する。１５０５は他受験者参照ボタンであり、選択された問題に対して他受験者がどのような解答をしているのかを参照したい場合に押下する。押下すると別ウインドウに受験者の一覧が表示され、参照したい受験者を選択すると図１６に示すような解答比較画面が表示される。１５０６は得点確定ボタンであり、１５０４得点入力欄に入力した得点を確定する場合に押下する。１５０７は正答例表示欄であり、事前に登録した正答例と配点が表示される。
【００２４】
図１６は、採点ＡＰの解答比較画面の一例であり、図１５の１５０５の他受験者参照ボタンが押下された場合に比較者選択画面を経由して表示される画面である。１６０１は採点者解答情報表示フレームであり、記述問題採点画面にて採点中である受験者の情報が表示される。１６０２は比較者解答情報表示画面であり、選択された比較者の解答情報が表示される。１６０３は比較者切替ボタンであり、比較者を切り替えたい場合に押下し、比較者を選択しなおす。１６０４は得点入力欄であり、得点を入力する。図１５の得点入力欄１５０４と連動しており１５０４に入力がある場合はこちらにも同内容が表示される。１６０５は得点確定ボタンであり、他受験者参照ボタン１５０５と同様に得点を確定させる場合に押下する。１６０６は比較者の得点表示欄であり比較者の該当問題が採点済みの場合は、得点が表示される。１６０７は得点修正欄であり、１６０６に表示された得点を修正したい場合に押下すると、１６０６が入力可能となり、得点を修正可能である。１６０８は正答例表示欄であり、正答例表示欄１５０７と同様に事前登録していた正答例および配点を表示する。１６０９は閉じるボタンであり、解答比較画面を閉じて記述問題採点画面へ戻る場合に押下する。
【００２５】
図１７は、試験問題作成画面の一例であり、図１の１１３または図１０の１０１３の問題・解答用紙作成手順の処理手順で用いる。１７０１は問題ツリー表示であり、作成した問題をツリー表示する。１７０２は問題文記入欄である。１７０３は選択肢作成ボタンであり、選択問題を作成する場合に使用する。押下すると１７０６の選択肢作成ウインドウが表示される。１７０４は正答例入力欄である。１７０５は登録ボタンであり問題文および正答例を確定して登録する場合に押下する。１７０６は選択肢作成ウインドウ１であり、選択肢の項番パターン（ＡＢＣ、１２３等）および項目数を決定する。１７０７は選択肢作成ウインドウ２であり、１７０６にて設定した項番および項数の内容を入力する。
【００２６】
本発明の試験採点支援システムは、上記実施形態の試験採点支援システムに限定されるものではなく、広くペン入力した情報を同時に電子データとして取り込み、情報を参照または更新するシステムにも応用できる。
【００２７】
【発明の効果】
以上のように本発明によれば、ペン入力を用いた試験支援システムにおいて、正確かつ自由な情報の記入と同時に電子データとしての取得が可能であり、データの入力、格納、参照、評価および出力を効率よく行うことが可能となる。
【図面の簡単な説明】
【図１】試験採点支援システム構成を示す図。
【図２】データ構造を示す図。
【図３】試験実施フローチャート。
【図４】解答用紙作成フローチャート。
【図５】採点作業を示すフローチャート１。
【図６】採点作業を示すフローチャート２。
【図７】採点作業を示すフローチャート３。
【図８】採点作業を示すフローチャート４。
【図９】データ受信処理を示すフローチャート。
【図１０】ネットワーク経由試験採点支援システム構成を示す図。
【図１１】ネットワーク経由試験採点支援システム適用時試験実施フローチャート。
【図１２】ネットワーク経由試験採点支援システム適用時採点作業フローチャート。
【図１３】ネットワーク経由試験採点支援システム適用時における位置座標とストロークを検出する機能を持った通信機能内蔵のペン入力対応入力装置を用いた採点作業フローチャート。
【図１４】試験採点支援システム試験選択画面を示す図。
【図１５】試験採点支援システム記述問題採点画面を示す図。
【図１６】試験採点支援システム解答比較画面を示す図。
【図１７】試験採点支援システム問題作成画面を示す図。
【符号の説明】
１０１・・・位置座標とストロークを検出する機能を持ったペン入力対応通信装置および記憶装置内蔵入力装置、およびその位置を一意に特定可能な固有のパターンを持った用紙
１０２・・・解答情報処理端末
１０３・・・通信制御手段（解答情報処理端末）
１０４・・・解答情報解析手段
１０５・・・試験時間計測手段
１０６・・・メインサーバ
１０７・・・通信制御手段（メインサーバ）
１０８・・・データベースアクセス手段
１０９・・・解答情報データベース
１１０・・・採点端末
１１１・・・通信制御手段（採点端末）
１１２・・・採点情報処理手段
１１３・・・問題・解答用紙作成手段
１１４・・・位置座標とストロークを検出する機能を持ったペン入力対応通信装置および記憶装置内蔵入力装置、およびその位置を一意に特定可能な固有のパターンを持った用紙
１１５・・・プリンタ、２０１〜２３１・・・解答情報データベース内の各テーブルおよびフィールド
【図１】
2004219851.tif 000003
【図２】
2004219851.tif 000004
【図３】
2004219851.tif 000005
【図４】
2004219851.tif 000006
【図５】
2004219851.tif 000007
【図６】
2004219851.tif 000008
【図７】
2004219851.tif 000009
【図８】
2004219851.tif 000010
【図９】
2004219851.tif 000011
【図１０】
2004219851.tif 000012
【図１１】
2004219851.tif 000013
【図１２】
2004219851.tif 000014
【図１３】
2004219851.tif 000015
【図１４】
2004219851.tif 000016
【図１５】
2004219851.tif 000017
【図１６】
2004219851.tif 000018
【図１７】
2004219851.tif 000019